(57)【特許請求の範囲】
【請求項１】
光ディスク装置のドライブ装置であって、
トラバースシャーシと、
光ディスクを回転させるスピンドルモーターが搭載されるとともに前記トラバースシャーシの上面に配設された第１回路基板と、
前記トラバースシャーシの下面に配設された第２回路基板と、
前記トラバースシャーシの外側から前記トラバースシャーシを覆うように前記トラバースシャーシを支持するとともに上下動するレバーアームと、
一端が第１回路基板に接続されるとともに前記トラバースシャーシと前記レバーアームとの間を通って他端が第２回路基板に接続されるフレキシブルケーブルと、
を備え、
前記レバーアームは前記トラバースシャーシの下面側に前記フレキシブルケーブルの幅より大きな幅の開口部を有し、
前記フレキシブルケーブルは撓んだ部分が前記開口部から露出していることを特徴とする光ディスク装置のドライブ装置。
【請求項２】
前記レバーアームは前記トラバースシャーシの上面側に梁を有し、該梁が第１回路基板側の前記フレキシブルケーブルの一部を覆い、該梁は前記フレキシブルケーブル側に前記フレキシブルケーブルを押さえる突起部を有することを特徴とする請求項１に記載の光ディスク装置のドライブ装置。
【請求項３】
前記フレキシブルケーブルはフラット形状のフレキシブルケーブルであって、前記フレキシブルケーブルの撓み部分の内側の面と前記トラバースシャーシとが接触しないように前記フレキシブルケーブルを配したことを特徴とする請求項１又は請求項２に記載の光ディスク装置のドライブ装置。
【請求項４】
光ディスク装置のドライブ装置であって、
トラバースシャーシと、
光ディスクを回転させるスピンドルモーターが搭載されるとともに前記トラバースシャーシの上面に配設された第１回路基板と、
前記トラバースシャーシの下面に配設された第２回路基板と、
前記トラバースシャーシの外側から前記トラバースシャーシを覆うように前記トラバースシャーシを支持するとともに上下動するレバーアームと、
一端が第１回路基板に接続されるとともに前記トラバースシャーシと前記レバーアームとの間を通って他端が第２回路基板に接続されるフレキシブルケーブルと、
を備え、
前記レバーアームは前記トラバースシャーシの上面側に梁を有し、該梁が第１回路基板側の前記フレキシブルケーブルの一部を覆い、該梁は前記フレキシブルケーブル側に前記フレキシブルケーブルを押さえる突起部を有することを特徴とする光ディスク装置のドライブ装置。
【発明の詳細な説明】
【技術分野】
【０００１】
本発明は、ＣＤ、ＤＶＤ、ＢＤ（Blu-ray Disc）等に対して記録／再生を行う光ディスク装置のドライブ装置に関する。
【背景技術】
【０００２】
従来から光ディスク装置として、光ディスクを載置したディスクトレイを装置本体内に移動させ、装置本体内に設けたディスクホルダ（クランパー）とターンテーブルとの間に光ディスクをクランプし、光ディスクに対して記録又は再生を行うようにしたものが知られている。さらに近年、このトレイ方式の光ディスク装置の各種機構を改善したものが種々提案されている。
【０００３】
例えば特許文献１には、アンローディング信号に基づいてレバーシフトを下動させてトラバースシャーシを傾斜姿勢にすることにより、ターンテーブルからトレイ上にディスクを受け渡し、該トレイを前進させるようにしたディスク装置において、筐体のボトムシャーシに板金加工を施すことにより上向きに膨出する複数の台形状載置台が形成され、該各載置台上にローダーシャーシが止着されると共に、そのいずれか一つの載置台に対向して棒状の弾性緩衝材がレバーシフトに一体突設されており、該レバーシフトを下限位置まで下動させたときに、弾性緩衝材を載置台の上面または傾斜状側面に接触させて弾性変位させるようにした構成が開示されている。
【０００４】
また特許文献２には、円板状の光ディスクを搭載して前後に移動するトレイユニットと、光ディスクを回転駆動するディスクモーターと光ピックアップ部を含めて一体に形成されたユニットメカシャーシと、ディスクモーターや光ピックアップ部などの装置全体を制御する制御回路や信号処理回路を含めたプリント回路基板と、トレイユニットの前後の移動に伴ってユニットメカシャーシを筐体内部で上下方向に移動する機構部を備えた光ディスク装置において、ユニットメカシャーシの上下の移動によるプリント回路基板との干渉を避けるため、切欠部を回路基板の先端部に形成し、ユニットメカシャーシとプリント回路基板との間の電気的接続を切欠部を介してフレキシブルケーブルで形成することが開示されている。
【０００５】
また特許文献３には、チャッキングプレートをＰＣＢに形成された穴に取り付け、ＰＣＢをディスクの上方に配置し、ピックアップ用のコネクタをディスクトレイの後方に配置し、ピックアップケーブルをディスクトレイの外側を通してピックアップに接続し、ＰＣＢ上の電機部品で発熱する部品をディスクに対向する領域に配設し、ＰＣＢ上の電機部品でディスクとＰＣＢ間の距離以上の高さを有する部品をディスクに対向しない領域に配設する光ディスク装置が開示されている。
【先行技術文献】
【特許文献】
【０００６】
【特許文献１】特開２００８−９７７６２号公報
【特許文献２】特開２００６−３０２４３７号公報
【特許文献３】特開２００４−２２０６５８号公報
【発明の概要】
【発明が解決しようとする課題】
【０００７】
上記のトレイ方式の光ディスク装置では、トラバースアッシーの前端下部を支持するレバーアームの上下動によって、トラバースアッシーを上下動させる機構となっているものがある。トラバースアッシーの上面の前寄り部分には光ディスクを回転させるスピンドルモーターがスピンドルモーター用ＰＣＢ（プリント基板）上に設けられている。スピンドルモーター用ＰＣＢにはスピンドルモーター用ＦＦＣ（フレキシブルフラットケーブル）が接続されており、スピンドルモーター用ＦＦＣはトラバースアッシーの前方からトラバースアッシーの下側に回り込んでトラバースシャーシとレバーアームの間を通って装置本体のＰＣＢに接続されている。
【０００８】
ここで、スピンドルモーター用ＦＦＣはある程度余裕を持った長さでないと組み付けできないため、組み付け後のスピンドルモーター用ＦＦＣは若干弛んだ状態となる。そして、この弛み部分がレバーアームによって押さえつけられ、スピンドルモーター用ＦＦＣの他の部分が浮き上がり、負荷が掛かった状態となる。
【０００９】
その結果、スピンドルモーター用ＰＣＢがスピンドルモーター用ＦＦＣからの応力によって浮き上がり、スピンドルモーター用ＰＣＢ上の部品がスピンドルモーターに接触することがある。この状態ではスピンドルモーターの回転負荷が増えるので、光ディスクの記録／再生に不具合を生じるおそれがある。このような問題はスピンドルモーター以外でもレバーアームとトラバースシャーシの間を通るＦＦＣであれば生じるが、上記の特許文献１〜３の技術では解決することができない。
【００１０】
本発明は、レバーアームとトラバースシャーシの間を通るＦＦＣに余計な負荷が掛からない構造を有する光ディスク装置のドライブ装置を提供することを目的とする。
【課題を解決するための手段】
【００１１】
上記目的を達成するために本発明は、トラバースシャーシと、該トラバースシャーシの下面の一部を覆って該トラバースシャーシを支持するとともに上下動するレバーアームと、前記トラバースシャーシの上面に配設された第１回路基板と、前記トラバースシャーシの下面に配設された第２回路基板と、前記トラバースシャーシと前記レバーアームの間を通り、一端が第１回路基板に接続され、他端が第２回路基板に接続されるフレキシブルケーブルとを有する光ディスク装置のドライブ装置であって、前記レバーアームの前記フレキシブルケーブルが接触する部分に前記フレキシブルケーブルの幅より大きな幅の開口部を設けたことを特徴とする。
【００１２】
上記光ディスク装置のドライブ装置において、前記開口部は、前記トラバースシャーシの下面に対向する部分に設けられた切り欠き又は穴であることが望ましい。
【００１３】
また上記光ディスク装置のドライブ装置において、前記第１回路基板上に、光ディスクを回転させるスピンドルモーターが搭載されることが望ましい。
【００１４】
また上記光ディスク装置のドライブ装置において、前記レバーアームは前記トラバースシャーシの上面側に梁を有し、該梁が第１回路基板側の前記フレキシブルケーブルの一部を覆い、該梁は前記フレキシブルケーブル側に前記フレキシブルケーブルを押さえる突起部を有することが望ましい。
【００１５】
また本発明は、トラバースシャーシと、該トラバースシャーシの一部を覆って該トラバースシャーシを支持するとともに上下動するレバーアームと、前記トラバースシャーシの上面に配設された第１回路基板と、前記トラバースシャーシの下面に配設された第２回路基板と、前記トラバースシャーシと前記レバーアームの間を通り、一端が第１回路基板に接続され、他端が第２回路基板に接続されるフレキシブルケーブルとを有する光ディスク装置のドライブ装置であって、前記レバーアームは前記トラバースシャーシの上面側に梁を有し、該梁が第１回路基板側の前記フレキシブルケーブルの一部を覆い、該梁は前記フレキシブルケーブル側に前記フレキシブルケーブルを押さえる突起部を有することを特徴とする。
【発明の効果】
【００１６】
本発明によると、レバーアームに開口部及び／又は突起部を設けることで、レバーアームとトラバースシャーシの間を通るＦＦＣに余計な負荷が掛からない構造とすることができる。例えば、スピンドルモーター用ＰＣＢがスピンドルモーター用ＦＦＣからの応力によって浮き上がることもなく、スピンドルモーター用ＰＣＢ上の部品がスピンドルモーターに接触することもない。よってスピンドルモーターは正常に回転し、正常に光ディスクの記録／再生が行われる。
【図面の簡単な説明】
【００１７】
【図１Ａ】本発明の光ディスク装置のドライブ装置の平面図である。
【図１Ｂ】本発明の光ディスク装置のドライブ装置の正面図である。
【図１Ｃ】本発明の光ディスク装置のドライブ装置の左側面図である。
【図１Ｄ】本発明の光ディスク装置のドライブ装置の右側面図である。
【図１Ｅ】本発明の光ディスク装置のドライブ装置の背面図である。
【図１Ｆ】本発明の光ディスク装置のドライブ装置の底面図である。
【図２Ａ】図１Ａにおいてカバーとディスクトレイとを取り除いた図である。
【図２Ｂ】図１Ｂにおいてカバーとディスクトレイとを取り除いた図である。
【図２Ｃ】図１Ｃにおいてカバーとディスクトレイとを取り除いた図である。
【図２Ｄ】図１Ｄにおいてカバーとディスクトレイとを取り除いた図である。
【図２Ｅ】図１Ｅにおいてカバーとディスクトレイとを取り除いた図である。
【図２Ｆ】図１Ｆにおいてカバーとディスクトレイとを取り除いた図である。
【図３Ａ】本発明のトラバースアッシー及びレバーアームの平面図である。
【図３Ｂ】本発明のトラバースアッシー及びレバーアームの正面図である。
【図３Ｃ】本発明のトラバースアッシー及びレバーアームの左側面図である。
【図３Ｄ】本発明のトラバースアッシー及びレバーアームの右側面図である。
【図３Ｅ】本発明のトラバースアッシー及びレバーアームの背面図である。
【図３Ｆ】本発明のトラバースアッシー及びレバーアームの底面図である。
【図４Ａ】本発明のトラバースアッシーの平面図である。
【図４Ｂ】本発明のトラバースアッシーの正面図である。
【図４Ｃ】本発明のトラバースアッシーの左側面図である。
【図４Ｄ】本発明のトラバースアッシーの右側面図である。
【図４Ｅ】本発明のトラバースアッシーの背面図である。
【図４Ｆ】本発明のトラバースアッシーの底面図である。
【図５Ａ】本発明のレバーアームの平面図である。
【図５Ｂ】本発明のレバーアームの正面図である。
【図５Ｃ】本発明のレバーアームの左側面図である。
【図５Ｄ】本発明のレバーアームの右側面図である。
【図５Ｅ】本発明のレバーアームの背面図である。
【図５Ｆ】本発明のレバーアームの底面図である。
【図６】本発明の梁と突起部を有するレバーアームの底面図である。
【図７】本発明の梁と突起部を有するレバーアームの底面図である。
【図８】本発明の梁と突起部を有するレバーアームの底面図である。
【発明を実施するための形態】
【００１８】
図１Ａ〜図１Ｆは本発明の光ディスク装置のドライブ装置の六面図であり、図１Ａは平面図、図１Ｂは正面図、図１Ｃは左側面図、図１Ｄは右側面図、図１Ｅは背面図、図１Ｆは底面図である。また、図２Ａ〜図２Ｆは図１Ａ〜図１Ｆにおいてそれぞれ上面のカバーとディスクトレイとを取り除いた状態の図である。
【００１９】
光ディスク装置は外観を形成する装置本体の筐体内にドライブ装置１０を収容している。ドライブ装置１０は、ドライブ装置１０の各部材を収容するローダーシャーシ１１と、ローダーシャーシ１１の上面開口部を覆うカバー１２と、光ディスクを搬送するディスクトレイ１３と、ディスクトレイ１３の搬送方向（前後方向）に略垂直な方向（上下方向）に旋回して昇降可能なトラバースアッシー１４と、トラバースアッシー１４の下面の一部（本実施形態では下面の前端付近）を覆ってトラバースアッシー１４を支持するとともに上下動する平面視略Ｕ字型のレバーアーム１５と、レバーアーム１５の前部とカム係合し、左右方向（ディスクトレイ１３の搬送方向及びトラバースアッシー１４の昇降方向と略直交する方向）に移動してレバーアーム１５を上下動させるカムスライダー１６と、ディスクトレイ１３及びカムスライダー１６を複数のギヤを介して駆動するモーター（不図示）とを備えている。
【００２０】
トラバースアッシー１４は、各部材を載せるためのトラバースシャーシ２０と、光ピックアップユニット（ＯＰＵ）２１と、ＯＰＵ２１を光ディスクの径方向（前後方向）に移動可能に支持する２本のガイドシャフト２２、２２と、ＯＰＵ２１駆動用のステッピングモーター２３と、ステッピングモーター２３に接続されたリードスクリュー２４と、ＯＰＵ２１に固定され、リードスクリュー２４に噛合するティース２５と、トラバースシャーシ２０の上面の前寄り部分に設けられ、光ディスクを回転させるスピンドルモーター２６と、スピンドルモーター２６を載せたスピンドルモーター用ＰＣＢ（プリント基板、第１回路基板）２７（図４Ｂ参照）と、トラバースシャーシ２０の下面に設けられ、ドライブ装置１０全体を制御するためのＰＣＢ（第２回路基板）２８（図４Ｆ参照）と、一端がスピンドルモーター用ＰＣＢ２７に接続され、トラバースシャーシ２０の前方からトラバースシャーシ２０の下側に回り込んでトラバースシャーシ２０とレバーアーム１５の間を通ってＰＣＢ２８に他端が接続されたスピンドルモーター用ＦＦＣ（フレキシブルフラットケーブル）２９（図４Ａ参照）とを備えている。なお、ＦＦＣはフラットでない単なるフレキシブルケーブルでもよい。
【００２１】
トラバースアッシー１４は、トラバースシャーシ２０の前端２点で係止手段３０、３０によりレバーアーム１５に係止され、トラバースシャーシ２０の後端２点で係止手段３１、３１によりローダーシャーシ１１に係止されている。係止手段３０、３１は、ゴム製のＯリング及びビスである。
【００２２】
上記構成の光ディスク装置において、引き出された状態のディスクトレイ１３に光ディスクが載置されると、モーターの駆動によりディスクトレイ１３がディスク装置１０内に搬送される。ディスクトレイ１３が所定位置に配されると、ディスクトレイ１３へのモーターの駆動力の伝達が解除されてディスクトレイ１３が停止し、モーターの駆動によりカムスライダー１６が移動し、トラバースアッシー１４を上昇させる。これにより、トラバースアッシー１４が光ディスクに係合し、光ディスクがチャックされる。
【００２３】
光ディスクがチャックされると、カムスライダー１６へのモーターの駆動力伝達が解除されてカムスライダー１６及びトラバースアッシー１４が停止する。続いてステッピングモーター２３の駆動によりＯＰＵ２１が所定位置に移動し、光ディスクに対して記録又は再生を行う。また、光ディスクを取り出す際には上記と逆の動作が行われる。
【００２４】
次に、スピンドルモーター用ＦＦＣ２９の周辺の構造について詳しく説明する。図３Ａ〜図３Ｆはトラバースアッシー１４及びレバーアーム１５の六面図であり、図３Ａは平面図、図３Ｂは正面図、図３Ｃは左側面図、図３Ｄは右側面図、図３Ｅは背面図、図３Ｆは底面図である。また、図４Ａ〜図４Ｆはトラバースアッシー１４の六面図であり、図４Ａは平面図、図４Ｂは正面図、図４Ｃは左側面図、図４Ｄは右側面図、図４Ｅは背面図、図４Ｆは底面図である。また、図５Ａ〜図５Ｆはレバーアーム１５の六面図であり、図５Ａは平面図、図５Ｂは正面図、図５Ｃは左側面図、図５Ｄは右側面図、図５Ｅは背面図、図５Ｆは底面図である。
【００２５】
レバーアーム１５には、スピンドルモーター用ＦＦＣ２９が接触する部分にスピンドルモーター用ＦＦＣ２９の幅より大きな幅の開口部１５ａが設けられている。開口部１５ａは図に示したような穴であっても、穴の周囲の一部が切り取られた切り欠きであってもよい。
【００２６】
具体的に開口部１５ａは、レバーアーム１５のトラバースシャーシ２０下面に対向する部分であって、かつスピンドルモーター用ＦＦＣ２９と対向する部分に形成されている。開口部１５ａの形状には特に限定はなく、図示した矩形の他に、円形、楕円形、三角形、５角以上の多角形などでもよい。また、開口部１５ａはレバーアーム１５の前面にまで回り込んで形成してもよい。
【００２７】
スピンドルモーター用ＦＦＣ２９はある程度余裕を持った長さでないと組み付けできないため、組み付け後のスピンドルモーター用ＦＦＣ２９は若干弛んだ状態となっている。開口部１５ａがなければ、この弛み部分がレバーアーム１５によって押さえつけられ、スピンドルモーター用ＦＦＣ２９の他の部分が浮き上がり、負荷が掛かった状態となる。しかし、開口部１５ａを設けることにより、この弛み部分を開口部１５ａで逃がすことができるので、スピンドルモーター用ＦＦＣ２９の他の部分が浮き上がることがなく、負荷も掛かった状態にならない。
【００２８】
その結果、スピンドルモーター用ＰＣＢ２７がスピンドルモーター用ＦＦＣ２９からの応力によって浮き上がることもなく、スピンドルモーター用ＰＣＢ２７上の部品がスピンドルモーター２６に接触することもない。よってスピンドルモーター２６は正常に回転し、正常に光ディスクの記録／再生が行われる。
【００２９】
また、レバーアーム１５は梁と突起部を有していてもよい。図６は梁と突起部を有するレバーアームの底面図である。レバーアーム１５はトラバースシャーシ２０の上面側に梁１５ｂを有し、梁１５ｂがスピンドルモーター用ＰＣＢ２７側のスピンドルモーター用ＦＦＣ２９の一部を覆い、梁１５ｂはスピンドルモーター用ＦＦＣ２９側にスピンドルモーター用ＦＦＣ２９を押さえる直方体形状の２つの突起部１５ｃ、１５ｃを有している。なお、突起部１５ｃは１つ以上であればよい。
【００３０】
梁１５ｂは、開口部１５ａに対向しており、開口部１５ａを形成することで弱くなるレバーアーム１５の強度を補強する役割もある。梁１５ｂの形状には特に限定はなく、図示したような細い平板状の他に、湾曲した形状などであってもよい。
【００３１】
また、突起部の形状には特に限定はなく、例えば、図７に示すような突条の突起部１５ｄであっても、図８に示すような円柱形状の２つの突起部１５ｅ、１５ｅであってもよい。
【００３２】
このように、レバーアーム１５が梁と突起部とを有することにより、トラバースシャーシ２０上面側のスピンドルモーター用ＦＦＣ２９の一部が突起部で押さえられ、トラバースシャーシ２０上面側のスピンドルモーター用ＦＦＣ２９が浮き上がることがなく、スピンドルモーター用ＰＣＢ２７との接続部分に負荷が掛かった状態にならない。
【００３３】
その結果、スピンドルモーター用ＰＣＢ２７がスピンドルモーター用ＦＦＣ２９からの応力によって浮き上がることもなく、スピンドルモーター用ＰＣＢ２７上の部品がスピンドルモーター２６に接触することもない。よってスピンドルモーター２６は正常に回転し、正常に光ディスクの記録／再生が行われる。
【００３４】
なお本発明の効果は、開口部と突起部を両方設けることで得られるのはもちろんのこと、開口部のみ設けた場合でも、突起部のみ設けた場合でも得られる。
【００３５】
また本発明は、スピンドルモーター用ＦＦＣ以外でもレバーアームとトラバースシャーシの間を通るフレキシブルケーブルがあれば適用できる。
【産業上の利用可能性】
【００３６】
本発明は、ＣＤ、ＤＶＤ、ＢＤ等に対して記録／再生を行う光ディスク装置に利用でき、例えば、ＢＤ・ＤＶＤプレーヤ、ＢＤ・ＤＶＤレコーダ、テレビ一体型ＢＤ・ＤＶＤレコーダ、ＢＤ・ＤＶＤ記録再生装置搭載のパーソナルコンピュータなどが挙げられる。
【符号の説明】
【００３７】
１０  ドライブ装置
１５  レバーアーム
１５ａ  開口部
１５ｂ  梁
１５ｃ、１５ｄ、１５ｅ  突起部
２０  トラバースシャーシ
２６  スピンドルモーター
２７  スピンドルモーター用ＰＣＢ（第１回路基板）
２８  ＰＣＢ（第２回路基板）
２９  ＦＦＣ（フレキシブルケーブル）
【図１Ａ】
0005273171.tif 000002
【図１Ｂ】
0005273171.tif 000003
【図１Ｃ】
0005273171.tif 000004
【図１Ｄ】
0005273171.tif 000005
【図１Ｅ】
0005273171.tif 000006
【図１Ｆ】
0005273171.tif 000007
【図２Ａ】
0005273171.tif 000008
【図２Ｂ】
0005273171.tif 000009
【図２Ｃ】
0005273171.tif 000010
【図２Ｄ】
0005273171.tif 000011
【図２Ｅ】
0005273171.tif 000012
【図２Ｆ】
0005273171.tif 000013
【図３Ａ】
0005273171.tif 000014
【図３Ｂ】
0005273171.tif 000015
【図３Ｃ】
0005273171.tif 000016
【図３Ｄ】
0005273171.tif 000017
【図３Ｅ】
0005273171.tif 000018
【図３Ｆ】
0005273171.tif 000019
【図４Ａ】
0005273171.tif 000020
【図４Ｂ】
0005273171.tif 000021
【図４Ｃ】
0005273171.tif 000022
【図４Ｄ】
0005273171.tif 000023
【図４Ｅ】
0005273171.tif 000024
【図４Ｆ】
0005273171.tif 000025
【図５Ａ】
0005273171.tif 000026
【図５Ｂ】
0005273171.tif 000027
【図５Ｃ】
0005273171.tif 000028
【図５Ｄ】
0005273171.tif 000029
【図５Ｅ】
0005273171.tif 000030
【図５Ｆ】
0005273171.tif 000031
【図６】
0005273171.tif 000032
【図７】
0005273171.tif 000033
【図８】
0005273171.tif 000034